(57)【要約】【課題】害虫や水が基板カバー内に侵入し、内部の回路基板の故障を確実に防止する。【解決手段】容器（内鍋１０）内の被加熱物を外装体１２内に配設した加熱手段（加熱板１８）により加熱する加熱機器において、外装体１２の内部に操作用または制御用の回路基板２４，２７を配設し、回路基板２４，２７を基板カバー３０によって区画するとともに、基板カバー３０の壁部（隔壁部３２）に、回路基板２４，２７を基板カバー３０の外部の電気部品（加熱板１８や温度センサ１９）と接続する接続線（リード線２９Ａ，２９Ｂ）を挿通する挿通部３５を設け、挿通部３５を接続線２９Ａ，２９Ｂを配置するスリット４２を有する弾性部材４１により遮蔽する。【選択図】図３
2013230224.tif 000002
【特許請求の範囲】
【請求項１】
容器内の被加熱物を外装体内に配設した加熱手段により加熱する加熱機器において、
前記外装体の内部に操作用または制御用の回路基板を配設し、前記回路基板を基板カバーによって区画するとともに、
前記基板カバーの壁部に、前記回路基板を前記基板カバーの外部の電気部品と接続する接続線を挿通する挿通部を設け、前記挿通部を前記接続線を配置するスリットを有する弾性部材により遮蔽した
ことを特徴とする加熱機器。
【請求項２】
前記弾性部材は、吸水性または吸湿性を有することを特徴とする請求項１に記載の加熱機器。
【請求項３】
前記弾性部材は、スポンジであることを特徴とする請求項１または請求項２に記載の加熱機器。
【請求項４】
前記弾性部材を、前記基板カバー内の前記回路基板と接しないように配設したことを特徴とする請求項１乃至請求項３のいずれか１項に記載の加熱機器。
【請求項５】
前記基板カバーに、前記回路基板と前記弾性部材とを隔離する隔壁部を設けたことを特徴とする請求項１乃至請求項４のいずれか１項に記載の加熱機器。
【請求項６】
前記弾性部材は、前記回路基板と対向する面と反対側の面に撥水加工が施されていることを特徴とする請求項１乃至請求項５のいずれか１項に記載の加熱機器。
【請求項７】
前記弾性部材は、前記回路基板と対向する面と反対側の面に忌避加工が施されていることを特徴とする請求項１乃至請求項５のいずれか１項に記載の加熱機器。
【発明の詳細な説明】
【技術分野】
【０００１】
本発明は、炊飯器、電磁調理器、電気ポットおよび加湿器などの加熱機器に関するものである。
【背景技術】
【０００２】
この種の加熱機器は、外装体の内部にヒータや誘導加熱コイルなどの加熱手段が配設され、この加熱手段によって外装体の内部または外部に配置した容器内を加熱することにより、容器内の被加熱物である調理物や水などを加熱する。加熱手段の加熱制御は、制御用の回路基板に実装した論理回路やマイコンなどの制御手段により実行される。また、加熱機器は、ユーザが所定の動作を実行させるための操作パネルを有し、その内部に配設したスイッチを有する操作用の回路基板も備えている。制御用および／または操作用の回路基板は、外装体の内部において基板カバーによって区画されている。この基板カバーには、内部の回路基板と外部の電気部品とを接続するために、接続線を挿通するための挿通部が設けられている。
【０００３】
ところで、台所に生息するゴキブリなどの害虫は、３０℃から５０℃雰囲気で、隙間が１ｍｍから１０ｍｍ程度の暗い空間を好む習性がある。そして、加熱機器は、加熱制御の実行により加熱手段を含む電気部品が発熱するため、外装体に外気を取り入れる冷却用の通気孔が設けられている。また、基板カバー内は、回路基板に実装した電子部品の発熱により、害虫が好む温度帯の狭い空間となる。そのため、台所に設置する加熱機器においては、害虫が通気孔から外装体内に侵入し、基板カバー内に侵入して生息（滞在）し易い。一方、害虫の体は半導電性であるため、もし電子部品の導電部間に触れると、導通状態となって回路が短絡（故障）してしまうという問題がある。
【０００４】
一方、特許文献１には、水分の侵入を防止することを目的として、基板カバーの挿通部にゴム製の弾性部材を配設した加熱機器である電気湯沸かし器が記載されている。この加熱機器は、基板カバー内への害虫の侵入をも防止できるように考えられるが、基板カバーの挿通部に複数の接続線を挿通する場合、束ねた接続線と弾性部材との間に隙間が生じるため、害虫の侵入を確実に防止することはできない。
【先行技術文献】
【特許文献】
【０００５】
【特許文献１】特開平６−３３９４２９号公報
【発明の概要】
【発明が解決しようとする課題】
【０００６】
本発明は、害虫や水が基板カバー内に侵入し、内部の回路基板の故障を確実に防止できる加熱機器を提供することを課題とするものである。
【課題を解決するための手段】
【０００７】
前記課題を解決するため、本発明の加熱機器は、容器内の被加熱物を外装体内に配設した加熱手段により加熱する加熱機器において、前記外装体の内部に操作用または制御用の回路基板を配設し、前記回路基板を基板カバーによって区画するとともに、前記基板カバーの壁部に、前記回路基板を前記基板カバーの外部の電気部品と接続する接続線を挿通する挿通部を設け、前記挿通部を前記接続線を配置するスリットを有する弾性部材により遮蔽した構成としている。
【０００８】
この加熱機器によれば、スリットに接続線を配置することにより、接続線が撓んだり、弾性的な変形により束になったりすることはない。そのため、接続線と弾性部材との間にゴキブリなどの害虫が侵入可能な隙間を生じさせることを防止できる。よって、害虫による回路基板の故障を確実に防止できる。
【０００９】
前記弾性部材は、吸水性または吸湿性を有することが好ましい。このようにすれば、外装体内に水が浸入した場合でも、基板カバー内の回路基板に水が到達することを防止できる。また、基板カバー内の湿度が上がった場合には湿度を吸収することができるため、回路基板を良好な状態に保つことができる。しかも、回路基板に液晶表示パネルを実装している場合には、液晶表示パネルが湿気で曇ることを防止できる。
【００１０】
また、前記弾性部材は、スポンジであることが好ましい。このようにすれば、接続線をスリットに挿通する作業性を向上できる。また、スリットに接続線を配置した状態では、弾性部材の弾性的な復元力によってスリットの端面が接続線の外周面に密着するため、隙間の発生を確実に防止できる。
【００１１】
さらに、前記弾性部材を、前記基板カバー内の前記回路基板と接しないように配設することが好ましい。
具体的には、前記基板カバーに、前記回路基板と前記弾性部材とを隔離する隔壁部を設けることが好ましい。
このようにすれば、吸水または吸湿により水分を含んだ弾性部材が回路基板に接触し、水を通した導通により短絡して故障することを確実に防止できる。
【００１２】
そして、前記弾性部材は、前記回路基板と対向する面と反対側の面に撥水加工が施されていることが好ましい。このようにすれば、外装体内に水が侵入した場合でも、基板カバー内に水が浸入することを更に抑制できる。
また、前記弾性部材は、前記弾性部材は、前記回路基板と対向する面と反対側の面に忌避加工が施されていることが好ましい。このようにすれば、害虫が基板カバー内に侵入することを更に抑制できる。
【発明の効果】
【００１３】
本発明の加熱機器では、挿通部を遮蔽する弾性部材のスリットに接続線を配置することにより、接続線が撓んだり、弾性的な変形により束になることを防止できるため、接続線と弾性部材との間に隙間が生じることを防止できる。よって、ゴキブリなどの害虫が基板カバー内に侵入することを防止できるため、害虫による回路基板の短絡故障を確実に防止できる。
【図面の簡単な説明】
【００１４】
【図１】本発明に係る実施形態の加熱機器である炊飯器を示す部分断面図である。
【図２】蓋体を開放した炊飯器の斜視図である。
【図３】炊飯器の分解斜視図である。
【図４】基板カバーおよび弾性部材の分解斜視図である。
【図５】（Ａ），（Ｂ）は弾性部材を配設した基板カバーの要部断面図である。
【図６】炊飯器の底体、プラグ受けおよびプラグ受けカバーの分解斜視図である。
【図７】プラグ受けおよびプラグ受けカバーを示す斜視図である。
【図８】炊飯器の概略構成を示すブロック図である。
【発明を実施するための形態】
【００１５】
以下、本発明の実施の形態を図面に従って説明する。
【００１６】
図１および図２は、本発明の実施形態に係る加熱機器である炊飯器を示す。この炊飯器は、被加熱物である飯米を水と一緒に収容する上端開口の内鍋１０を備え、この内鍋１０を炊飯器本体１１の外装体１２内に配置し、外装体１２内に配設した加熱手段である加熱板１８によって加熱することにより米飯を炊き上げるものである。
【００１７】
炊飯器本体１１は、上側に位置する肩体１３と、肩体１３の下部を覆う底体４４とを有する樹脂製の外装体１２を備えている。この外装体１２には、略中央に内鍋１０を着脱可能に収容する収容部１５が形成されている。また、図中左側に位置する正面側には操作パネル２０が設けられ、その内部に第１の回路基板である操作基板２４と、第２の回路基板である制御基板２７とが配設されている。これらの基板２４，２７は、基板カバー３０によって覆われ、外装体１２内の他の空間と区画されている。
【００１８】
具体的には、肩体１３は、図中右側に位置する背面側に蓋体５７を開閉可能に取り付けるためのヒンジ接続部１４を備えている。このヒンジ接続部１４の前側には、内鍋１０を着脱可能に配置する収容部１５が形成されている。本実施形態の収容部１５は、肩体１３に形成された平面視円形状の開口部１６と、この開口部１６の下部に配設された有底筒状の内枠部１７とで構成される。この内枠部１７は金属製であり、その底には伝熱性がよいアルミ材料からなる板材の内部に加熱ヒータを配設した加熱板１８（図８参照）が配設されている。この加熱板１８上に内鍋１０が載置されることにより、内鍋１０が直接加熱される。加熱板１８の中心には、内鍋１０の温度を検出するための温度センサ１９（図８参照）が配設されている。
【００１９】
また、肩体１３には、収容部１５の正面側に操作パネル２０が形成されている。本実施形態の操作パネル２０には、収容部１５の側に蓋体５７を閉塞状態に維持するとともに、開放操作するための開放部材２１が配設されている。この開放部材２１の正面側には、透明樹脂製の窓からなる表示部２２が設けられている。この表示部２２の外周には、炊飯処理の設定および炊飯処理や保温処理を実行するための操作部２３が形成されている。
【００２０】
操作パネル２０の内部側には、操作パネル２０に対して略平行に位置するように操作基板２４が配設されている。この操作基板２４には、表示部２２に位置する液晶表示パネル２５と、各操作部２３に位置するスイッチ２６とが配設されている。
【００２１】
操作基板２４の下部には、基板カバー３０を介して制御基板２７が配設されている。この制御基板２７は、図示しない電源回路やマイコンが実装されたもので、フラットケーブル２８によって操作基板２４と接続されている。また、制御基板２７は、接続線であるリード線２９Ａ，２９Ｂによって加熱板１８および温度センサ１９に接続される。そして、温度センサ１９の検出値に基づいて、予め設定されたプログラムに従って加熱板１８に電力を投入して加熱制御を行い、炊飯処理および保温処理を実行する。
【００２２】
基板カバー３０は、図１および図３に示すように、制御基板２７を内部に配設した状態で、肩体１３の操作パネル２０の内側に組み付けることにより、操作基板２４および制御基板２７を区画するものである。この基板カバー３０は、水平方向に延びる底壁部３１と、この底壁部３１の外周部から垂直方向に延びる隔壁部３２とを備える。この隔壁部３２は、肩体１３への組み付けにより図３に示す枠壁部３９に嵌合される。また、基板カバー３０には、肩体１３のボス３３にネジ止めして固定するための締結部３４ａ，３４ｂが設けられている。締結部３４ａは、隔壁部３２の内部に位置するように設けられており、底壁部３１から上向きに延びる筒部を有する。締結部３４ｂは、隔壁部３２の外部に位置するように設けられている。
【００２３】
図３および図４に示すように、基板カバー３０の隔壁部３２の背面側には、内部の制御基板２７を外部の電気部品である加熱板１８および温度センサ１９と接続するリード線２９Ａ，２９Ｂを挿通する挿通部３５が設けられている。この挿通部３５は、隔壁部３２の上端から下向きに延びるように切り欠いた一対の溝からなる。この挿通部３５の外側には、遮蔽用の弾性部材４１を配設する配設部３６が設けられている。この配設部３６は、隔壁部３２に対して平面視凹字形状をなすように収容壁３７を突設することにより形成される。この収容壁３７には、リード線２９Ａ，２９Ｂを位置決めするための位置決め部３８が突設されている。この位置決め部３８は、図５（Ａ）に示すように台形状をなし、リード線２９Ａ，２９Ｂを挿通するための挿通孔部と、上端から挿通孔部に連通するスリット４２とを形成したものである。基板カバー３０を肩体１３に配設すると、肩体１３の枠壁部３９に形成した台形状の切欠部４０に位置決め部３８が嵌合する。
【００２４】
基板カバー３０の配設部３６には、リード線２９Ａ，２９Ｂを規制して配置するための弾性部材４１が配設されている。この弾性部材４１は、基板カバー３０を肩体１３に装着することにより、基板カバー３０の隔壁部３２と肩体１３の枠壁部３９との間に挟み込まれ、離脱不可能に取り付けられる。この状態で弾性部材４１は、基板カバー３０の隔壁部３２により、内部の制御基板２７および操作基板２４と接しないように隔離される。
【００２５】
具体的には、弾性部材４１は、図５（Ａ），（Ｂ）に示すように、隔壁部３２から背面側へ離れる方向である配設部３６の奥行きと同等以上の肉厚とした正面視矩形状のものである。この弾性部材４１には、装着状態で挿通部３５内に位置するように、リード線２９Ａ，２９Ｂを挿通するための複数（本実施形態では４本）のスリット４２が設けられている。このスリット４２は、上端から下向きに延びるとともに、肉厚方向に貫通するように設けられている。
【００２６】
本実施形態の弾性部材４１は、柔軟性および弾性が優れ、吸水性および吸湿性を有するスポンジからなる。また、制御基板２４，２７と対向する内側面とは反対側に位置する面、即ち、隔壁部３２と接触しない側の外側面には表面加工層４３が設けられている。この表面加工層４３には、水の浸透を防ぐ撥水剤を塗布することによる撥水処理と、害虫などが嫌う匂いや味などの成分が含まれた忌避剤を塗布することによる忌避加工とが施されている。
【００２７】
底体４４は、図１，３，６に示すように、上端を開放し、下端を閉塞した有底筒状のものである。この底体４４には、肩体１３のボス４５にネジ止めして固定するための締結部４６が設けられている。また、底体４４の底には、外気を取り入れる冷却用の通気孔４７が多数設けられている。本実施形態の底体４４の背面側の一方隅部には、プラグ受け５０を配設するプラグ受け装着部４８が設けられている。このプラグ受け装着部４８は、底体４４の底から外周壁にかけて設けた抜穴部４９を有する。
【００２８】
プラグ受け装着部４８には、商用電源に接続した図示しない電源コードのプラグを接続するプラグ受け５０がプラグ受けカバー５２を介して装着される。本実施形態のプラグ受け５０は、図７に示すように、アース端子を含む３個の端子５１ａ〜５１ｃを有する３端子プラグ受けであり、リード線２９Ｃによって制御基板２７に接続されている。そのうち、一対の端子５１ａ，５１ｂは、同一平面上に位置するように一側に配置され、残りの端子５１ｃは、端子５１ａ，５１ｂと所定間隔をもって平行に位置し、かつ、端子５１ａ，５１ｂの中間に位置するように他側に配置されている。
【００２９】
プラグ受けカバー５２は難燃性樹脂からなり、プラグ受け５０を位置決めするための位置決め溝５３を備えている。このプラグ受けカバー５２は、底体４４に対して外側から配置してネジ止めにより固定される。プラグ受けカバー５２には、底体４４の外周壁から離れた側である内枠部１７の側に位置するように絶縁壁５４が設けられている。また、プラグ受けカバー５２には、プラグ受け５０を定姿勢で配置するために逆付け防止リブ５５が設けられている。この逆付け防止リブ５５は、平面視Ｌ字形状をなし、端子５１ｃの側に位置するように設けられている。これにより、端子５１ａ，５１ｂが底体４４の外周壁側に位置するように配置すると、端子５１ａに逆付け防止リブ５５が干渉することにより、プラグ受け５０を装着することができない。なお、図中符号５６は水抜き穴である。
【００３０】
蓋体５７は、図１および図２に示すように、炊飯器本体１１のヒンジ接続部１４に回転可能に取り付けられることにより、肩体１３の開口部１６を開放可能に閉塞するものである。この蓋体５７には、内鍋１０と対向する内面側に、内鍋１０の上端開口を密閉するシール部材５８が配設されている。また、蓋体５７の背面側には、内鍋１０内と外部とを連通させる排気ユニット５９が設けられている。また、内蓋５７の内面側には、米成分を含む蒸気が付着することを防止する内蓋６０が着脱可能に配設されている。
【００３１】
この炊飯器は、液晶表示パネル２５およびスイッチ２６を実装した操作基板２４が、肩体１３における操作パネル２０の内側に配置され、ネジ止めにより固定される。また、制御基板２７が、基板カバー３０内にネジ止めにより固定される。そして、これら回路基板２４，２７は、図８に示すように、基板カバー３０内にてフラットケーブル２８によって電気的に接続される。
【００３２】
また、制御基板２７は、基板カバー３０の外部に配設された加熱板１８、温度センサ１９およびプラグ受け５０とリード線２９Ａ〜２９Ｃによって電気的に接続される。この際、各リード線２９Ａ〜２９Ｃは、弾性部材４１のスリット４２に対してそれぞれ個別に挿通される。そして、弾性部材４１を配設部３６に配置するとともに、リード線２９Ａ〜２９Ｃを位置決め部３８内に挿通する。この際、図５（Ａ）に示すように、直径が細いリード線２９Ｂと直径が太いリード線２９Ｃとを同一の挿通部３５に挿通する場合、弾性部材４１に対して異なるスリット４２に挿通させるとともに、高さ方向も異なる位置に配置することが好ましい。
【００３３】
このように、スポンジからなる弾性部材４１のスリット４２にリード線２９Ａ〜２９Ｃを挿通させた状態では、弾性部材４１の弾性的な復元力によってスリット４２の端面がリード線２９Ａ〜２９Ｃの外周面に密着する。また、リード線２９Ａ〜２９Ｃが撓んだり、弾性的な変形により束になったりすることを防止できる。そのため、基板カバー３０を肩体１３にネジ止めして固定した組立状態で、リード線２９Ａ〜２９Ｃと弾性部材４１との間にゴキブリなどの害虫が侵入可能な隙間を生じさせることを防止できる。よって、基板カバー３０内に害虫が侵入することを防止できるため、害虫による制御基板２７の短絡故障を確実に防止できる。
【００３４】
また、弾性部材４１は、吸水性および吸湿性を有するため、外装体１２内に水が浸入した場合でも、基板カバー３０内の制御基板２７に水が到達することを抑制できる。しかも、弾性部材４１における回路基板２４，２７との対向面と反対側の外側面に施した表面加工層４３には撥水加工が施されているため、基板カバー３０の外部から内部への水の浸入を確実に防止できる。さらに、基板カバー３０内の湿度が上がった場合には、表面加工層４３を形成していない端面から湿度を吸収することができるため、制御基板２７および操作基板２４を良好な状態に保つことができる。しかも、操作基板２４に実装した液晶表示パネル２５が湿気で曇ることを防止できる。
【００３５】
そして、本実施形態では、弾性部材４１が基板カバー３０内の制御基板２７と接しないように、これらを基板カバー３０の隔壁部３２によって隔離しているため、水分を含んだ弾性部材４１が制御基板２７に接触し、水を通した導通により短絡して故障することを確実に防止できる。しかも、弾性部材４１の表面加工層４３には忌避加工が施されているため、害虫が基板カバー３０内に侵入することを更に抑制できる。
【００３６】
なお、本発明の加熱機器は、前記実施形態の構成に限定されるものではなく、種々の変更が可能である。
【００３７】
例えば、前記実施形態では、弾性部材４１が制御基板２７と接しないように隔壁部３２の外側に配設したが、隔壁部３２の内側に配設してもよい。但し、この場合でも表面加工層４３は、隔壁部３２と接する側に配置する。
【００３８】
また、前記実施形態では、本発明の加熱機器として炊飯器を例に挙げて説明したが、電磁調理器、電気ポットおよび加湿器などの加熱機器であればいずれでも適用可能であり、同様の作用および効果を得ることができる。
【符号の説明】
【００３９】
１０…内鍋（容器）
１１…炊飯器本体
１２…外装体
１３…肩体
１８…加熱板（加熱手段、電気部品）
１９…温度センサ（電気部品）
２０…操作パネル
２４…操作基板
２７…制御基板
２８…フラットケーブル
２９Ａ〜２９Ｃ…リード線（接続線）
３０…基板カバー
３１…底壁部
３２…隔壁部
３５…挿通部
４１…弾性部材
４２…スリット
４３…表面加工層
４４…底体
５７…蓋体
【図１】
2013230224.tif 000003
【図２】
2013230224.tif 000004
【図３】
2013230224.tif 000005
【図４】
2013230224.tif 000006
【図５】
2013230224.tif 000007
【図６】
2013230224.tif 000008
【図７】
2013230224.tif 000009
【図８】
2013230224.tif 000010